(57)【要約】      （修正有）【課題】風によって洗濯物同士が密着することを防止し、物干し竿の反り曲りを和らげるハンガースペーサーを提供する。【解決手段】物干し竿１に嵌め込む長さ６ｃｍ程度の半円筒状部材同士を上下で組み合わせて円筒を作り出し、複数の円筒の相互間に設けた隙間にハンガーフックを挟み込ませる仕切り溝３を形成する物干し竿用ハンガースペーサー２であって、半円筒状部材は、材質が弾性プラスチックで、構造は取り付ける物干し竿に合わさる大きさの半円筒部と、半円筒部の中心を境に部分的に突起させた凸部４と、凸部と対向する位置に同形の凸部を設け、同一形状の半円筒状部材同士を上下で組み合わせて一体化した円筒を造る為に、凸部同士が互いに向かい合って嵌る部分へ、凸部とは形状が反転する凹部５を設け、凸部だけが物干し竿の円心方向へ幾分入り込む構造にする。【選択図】図１
0003235027.tif 000002
【実用新案登録請求の範囲】
【請求項１】
物干し竿に嵌め込む長さ６ｃｍ程度の半円筒状部材同士を上下で組み合わせて円筒を作り出し、複数の前記円筒の相互間に設けた隙間にハンガーフックを挟み込ませる仕切り溝を形成する物干し竿用ハンガースペーサーであって、前記半円筒状部材は、材質が弾性プラスチックで、構造は取り付ける物干し竿に合わさる大きさの半円筒部と、前記半円筒部の中心を境に部分的に突起させた凸部と、前記凸部と対向する位置に同形の凸部を設け、同一形状の前記半円筒状部材同士を上下で組み合わせて一体化した円筒を造る為に、前記凸部同士が互いに向かい合って嵌る部分へ、前記凸部とは形状が反転する凹部を設け、前記凸部だけが前記物干し竿の円心方向へ幾分入り込む構造にすることで、材質の弾力性を利用して前記物干し竿にグリップさせる一方、複数の色のハンガースペーサーは、上下の色を変えることで様々なバリエーションの物干し竿を作り出せ、使用者自身が唯一のオリジナル物干し竿を創造できることを特徴とするハンガースペーサー。
【考案の詳細な説明】
【技術分野】
【０００１】  本考案は、風による影響で、ハンガーに掛かった洗濯物同士が密着して乾きが悪くなる原因を抑止する。それに加えて、物干し竿の反り曲りを緩和するハンガースペーサーに関するものである。
【背景技術】
【０００２】  引用文献１の図１、図２には、物干し竿Ｃに、山形部分ｆと円弧状部分ｇを円筒の内部に有したスペーサーＡ１を複数個順次外嵌させ、物干し竿Ｃの端部にキャップｃを付けた技術が記載されている。【０００３】  また、引用文献１の図５には、円筒体の両端部と上面側部分とを残して、その他の部分は切除した如き形態にしたスペーサーＡ２の下側箇所に切れ目ｉを設け、自身の合成樹脂素材の弾力性を生かして、物干し竿Ｃの上側から嵌め込ませる技術が記載されている。【０００４】  しかしながら、現在市販されている多くの物干し竿の両端部には、プラスチック製のエンドキャップが接着剤で堅固に取り付けられているので引用文献１の図１スペーサーＡ１を現在市販されている物干し竿に通して外嵌させることが難しい。【０００５】  また、引用文献１の図５スペーサーＡ２は、円筒体の両端部の構造が物干し竿に嵌め入れ難く、併せてスペーサーＡ２を物干し竿に嵌め入れた場合においては、スペーサーＡ２の円筒体の内側の直径が物干し竿の外径よりも広がり、スペーサーＡ２を物干し竿に固定させる強度が緩む可能性がある。【０００６】  また、引用文献２の図３には、筒状の竿挿通部１０を第１部材２Ａと第２部材２Ｂの半割状に形成し、その上部に設定した凹部と凸部及び結合部１３にて物干し竿３を挟んで抱くようにして固定する技術が記載されている。【０００７】  そして、引用文献２の図３における凹部と凸部の役目は、第１部材２Ａと第２部材２Ｂの互いのズレを防止することが目的と推測される。【０００８】  これに対して、本考案のハンガースペーサー２は二つの同じ形状のものを組み合わせて円筒を作り出す構造です。【０００９】そして、ハンガースペーサー２の上下を同じ形状に作り出す方法は、作り出す円筒の長さの中心を境に上部のハンガースペーサー２の凸部を設け、ハンガースペーサー２を上下反転させて組み合わせた下部のハンガースペーサー２の凸部４が互いに重なり嵌まり合う部分に凹部５を設ける。【００１０】  そして、引用文献１及び２の構造に対してハンガースペーサー２は、物干し竿１に嵌め込む形状と構造において最もシンプルであり、上下で組み合わせたハンガースペーサー２の凸部４同士を二重に密着させて物干し竿に固定させる技術の点で、作用効果の優位性があり、誰もが容易に物干し竿１に取り付けられる。【００１１】  併せて、複数の色のハンガースペーサー２は、上下の色の組み合わせを変えることで様々なバリエーションの物干し竿１を作り出せ、使用者自身が唯一のオリジナル物干し竿１を創造できる。
【先行技術文献】
【引用文献】
【００１２】
【引用文献１】
登録実用新案第３０６２５８７号公報（第２頁、図１、図２、図５）
【引用文献２】
特開平８−２８９９９５号公報（第６頁、図３）
【考案の概要】
【考案が解決しようとする課題】
【００１３】  従来の物干し竿は、風による影響で、ハンガーに掛かった洗濯物同士が密着して、乾きが悪くなる原因を作ります。また、洗濯物の重量が物干し竿の中央部分に集中して、物干し竿の反り曲りや、物干し竿がくの字に折れて、多くの人が不便さを感じています。
【課題を解決するための手段】
【００１４】  本考案は、長さ６ｃｍ程度の半円筒状部材ハンガースペーサー同士を物干し竿へ上下で嵌め入れて連続した円筒を作り出し、それぞれの円筒と円筒との間に仕切り溝を設けて、洗濯物が掛かるハンガーフックの位置を前記仕切り溝部分に固定することで、風によって洗濯物同士が密着することを防止する。それに加えて、洗濯物が掛かるハンガーを均等に固定出来ることで、物干し竿の反り曲りを和らげる。
【考案の効果】
【００１５】  ハンガースペーサーの効果は、風によって洗濯物同士が密着することを防止する。それに加えて、洗濯物を万遍なく分散させるので、物干し竿の反り曲りを和らげる。【００１６】  上下二分割の組み合わせで円筒を作り出すハンガースペーサーは上下同一の形状と構造がシンプルで扱い易く、誰もが容易に物干し竿に取り付けられる。【００１７】  複数の色のハンガースペーサーは、上下の色の組み合わせを選択できて、使用者自身がバリエーション豊かな唯一のオリジナル物干し竿を創造できる。
【図面の簡単な説明】
【００１８】
【図１】図１は複数のハンガースペーサーを物干し竿に上下で嵌め入れた正面図。縮尺三分の一
【図２】図２はハンガースペーサーの斜視図。
【図３】図３はハンガースペーサーの（ａ）が平面図、（ｂ）が立面図、（ｃ）が側面図。
【考案を実施するための形態】
【実施例】
【００１９】  添付図面に従って実施方法を説明する。本発明のハンガースペーサー２の材質は、弾性プラスチックで、４ｍｍ程の厚みを利用して仕切り溝３を構築する。【００２０】  半円筒状部材ハンガースペーサー２の構造は、取り付ける物干し竿１に合わさる大きさの半円筒部と、前記半円筒部の中心を境に部分的に突起させた凸部４と、前記凸部４と対向する位置に同形の凸部４を設け、同一形状のハンガースペーサー２同士を上下で組み合わせて一体化した円筒を造る為に、前記凸部４同士が互いに向かい合って嵌る部分へ、前記凸部４とは形状が反転する凹部５を設ける。【００２１】  また、ハンガースペーサー２を物干し竿１に固定させる技術は、前記凸部４だけを物干し竿１の円心方向へ幾分入り込む構造にする事で、材質の弾力性を利用して物干し竿１にグリップさせる事ができる。
【符号の説明】
【００２２】  １  物干し竿
２  ハンガースペーサー
３  仕切り溝
４  凸部
５  凹部
６  半円筒部分の円心点
７  凸部分だけの円心点
【図１】
0003235027.tif 000003
【図２】
0003235027.tif 000004
【図３】
0003235027.tif 000005